(57)【要約】【課題】使用者に対してより迅速に温熱刺激を付与することができるとともに、より心地よい物理刺激を付与することができる美容装置を提供すること。【解決手段】美容装置１００は、外郭を構成する本体ハウジング１１０と、本体ハウジング１１０の一端側に設けられた軸部４０，７０と、軸部４０，７０に回転自在に軸支された回転施術部５０，８０と、を備えている。また、軸部４０，７０は、加熱部４３，７３に接触して設けられて当該加熱部４３，７３で発生した熱を伝える第１の伝熱部４７，７４，７５を備えている。第１の伝熱部４７，７４，７４は、基部４７ｄ，７４ｄと延長部４７ｅ，７４ｅとを備えている。さらに、延長部４７ｅ，７４ｅは、屈曲部４７ｆ，７４ｆを備えており、屈曲部４７ｆ，７４ｆの外周面４７ｇ，７４ｇと回転施術部５０，８０の内壁面５４ｄ，８２ａとが摺動可能に接触する構成とした。【選択図】図５
2014236839.tif 000002
【特許請求の範囲】
【請求項１】
外郭を構成する本体ハウジングと、前記本体ハウジングの一端側に設けられた軸部と、前記軸部に回転自在に軸支された回転施術部と、を備える美容装置において、
前記軸部は、加熱部と、前記加熱部に接触して設けられて当該加熱部で発生した熱を伝える第１の伝熱部と、を備えており、
前記第１の伝熱部は、前記加熱部に接触する基部と、前記基部から延長された延長部と、を備えており、
前記延長部は、前記基部に対して屈曲した屈曲部を備えており、
前記屈曲部の外周面と当該外周面に対向する前記回転施術部の内壁面とが、摺動可能に接触するように構成されていることを特徴とする美容装置。
【請求項２】
前記屈曲部の外周面と、前記外周面に対向する前記回転施術部の内壁面とが、前記回転施術部の回転軸方向に対して傾斜するように形成されており、
前記軸部には、前記回転施術部を付勢する第１の付勢部が設けられていることを特徴とする請求項１に記載の美容装置。
【請求項３】
前記回転施術部には、前記第１の付勢部による前記回転施術部の移動を規制する規制部が設けられていることを特徴とする請求項２に記載の美容装置。
【請求項４】
前記軸部には、前記加熱部を前記第１の伝熱部の基部側に付勢する第２の付勢部が設けられていることを特徴とする請求項１〜３のうちいずれか１項に記載の美容装置。
【請求項５】
前記回転施術部は、前記延長部の外周面と対向する前記回転施術部の内壁面に、前記内壁面よりも熱伝導率の高い材料で形成された第２の伝熱部を備えており、
前記第２の伝熱部の内壁面が前記延長部の外周面と摺動可能に接触するように構成されていることを特徴とする請求項１〜４のうちいずれか１項に記載の美容装置。
【請求項６】
前記第２の伝熱部の前記回転施術部の内壁面と接触する部分に空間部が形成されていることを特徴とする請求項５に記載の美容装置。
【発明の詳細な説明】
【技術分野】
【０００１】
本発明は、使用者の肌に物理刺激と温熱刺激とを付与する美容装置に関するものである。
【背景技術】
【０００２】
従来、美容装置として、一対の回転施術部としてのローラが、ハウジングの一端側に突設されるとともに回転自在に支持されており、前記ローラを使用者の肌に接触させるとともに転動させることで、使用者の肌に物理刺激を付与するようにしたものが知られている（例えば、特許文献１参照）。
【０００３】
この特許文献１では、上記一対のローラの回転軸のなす角が鈍角となるように設けられており、この一対のローラを使用者の肌に当てて押し引きを繰り返すことにより、毛穴の汚れが除去できるようになっている。
【０００４】
また、回転施術部としての筒状のローラをハウジングの一端側に設けるとともに、このローラ内に加熱部を内装、固定することで、使用者の肌に温熱刺激を付与し、使用者に対して温熱効果による血行の促進を図れるようにしたものも知られている（例えば、特許文献２参照）。
【０００５】
この特許文献２では、上記加熱部をヒータで構成したものや、上記過熱部をジェルや水等の液体状の蓄熱材や保熱材で構成して封入シートに封入したものを例示している。
【０００６】
上記加熱部をヒータで構成したものにあっては、ローラとヒータとが非接触となっている。そして、ヒータで発生した熱がローラとの間の空気層を介してローラの内壁に伝熱することで、ローラを加熱するようにしている。
【０００７】
一方、上記加熱部をジェルや水等の液体状の蓄熱材や保熱材で構成して封入シートに封入したものにあっては、上記封入シートの長手方向の外周面と、対向するローラの内周面とが摺動接触するように構成されている。そして、上記蓄熱材や保熱材の熱が封入シートを介してローラの内周面に伝熱することで、ローラを加熱するようにしている。
【０００８】
また、上記特許文献２の技術を特許文献１に組み込むことで、ハウジングの一端側に突設された一対のローラを、ヒータや、蓄熱材または保熱材を封入したシートにより加熱することが可能な美容装置を得ることができ、使用者に対して物理刺激および温熱刺激を付与することが可能となる。
【先行技術文献】
【特許文献】
【０００９】
【特許文献１】特開２００９−１４２５０９号公報
【特許文献２】特開２０１２−１２０５５３号公報
【発明の概要】
【発明が解決しようとする課題】
【００１０】
しかしながら、加熱部をヒータにより構成した場合は、ヒータで発生した熱は、ローラとの間の空気層を介してローラの内壁に伝熱するために、ローラが加熱されるまでに時間を有してしまい、使用開始後より直ちに使用者に対して温熱刺激を付与することが困難になるという課題を有していた。
【００１１】
一方、加熱部を蓄熱材または保熱材を封入したシートにより構成した場合は、封入シートの長手方向の外周面と、対向するローラの内周面との接触面積が大きくなることから、ローラの回転抵抗が増加して、ローラの回転性が悪くなってしまい、使用者に対して心地よい物理刺激を付与することが困難になる可能性があった。
【００１２】
本発明は、前記従来の課題を解決するもので、使用者に対してより迅速に温熱刺激を付与することができるとともに、より心地よい物理刺激を付与することができる美容装置を提供することを目的とする。
【課題を解決するための手段】
【００１３】
前記従来の課題を解決するために、本発明の美容装置は、外郭を構成する本体ハウジングと、前記本体ハウジングの一端側に設けられた軸部と、前記軸部に回転自在に軸支された回転施術部と、を備える美容装置において、前記軸部は、加熱部と、前記加熱部に接触して設けられて当該加熱部で発生した熱を伝える第１の伝熱部と、を備えており、前記第１の伝熱部は、前記加熱部に接触する基部と、前記基部から延長された延長部と、を備えており、前記延長部は、前記基部に対して屈曲した屈曲部を備えており、前記屈曲部の外周面と当該外周面に対向する前記回転施術部の内壁面とが、摺動可能に接触するように構成されたものである。
【００１４】
これによって、回転施術部と摺動接触するのは、第１の伝熱部の延長部のうち屈曲部の外周面のみとなることから、回転施術部の回転性が妨げられてしまうのを抑制しつつ、上記加熱部で発生した熱を、対向する回転施術部の内壁面の比較的広い範囲に伝達することができ、回転施術部をより効率的に加温することができる。
【発明の効果】
【００１５】
本発明の美容装置を用いることで、使用者に対してより迅速に温熱刺激を付与することができるとともに、より心地よい物理刺激を付与することができる。
【図面の簡単な説明】
【００１６】
【図１】本発明の実施の形態１における美容装置の斜視図である。
【図２】本発明の実施の形態１における美容装置の本体把持部を示す図であって、（ａ）は平面図、（ｂ）は正面図である。
【図３】本発明の実施の形態１における美容装置の本体把持部の分解斜視図である。
【図４】本発明の実施の形態１における美容装置の第１のヘッド部を示す図であって、（ａ）は正面図、（ｂ）は底面図である。
【図５】本発明の実施の形態１における美容装置の第１のヘッド部を示す図であって、（ａ）は側面図、（ｂ）は図５（ａ）のＡ−Ａ断面図である。
【図６】本発明の実施の形態１における美容装置の第１のヘッド部の分解斜視図である。
【図７】本発明の実施の形態１における美容装置の第２のヘッド部を示す図であって、（ａ）は正面図、（ｂ）は図７（ａ）のＢ−Ｂ断面図である。
【図８】本発明の実施の形態１における美容装置の第２のヘッド部の分解斜視図である。
【図９】本発明の実施の形態１における美容装置の充電状態の一例を示す斜視図である。
【図１０】本発明の実施の形態１における美容装置の充電状態の一例を示す平面図である。
【図１１】図１０のＣ−Ｃ断面図である。
【図１２】本発明の実施の形態１における美容装置の充電台を示す斜視図である。
【図１３】本発明の実施の形態１における美容装置の充電台の分解斜視図である。
【発明を実施するための形態】
【００１７】
第１の発明は、外郭を構成する本体ハウジングと、前記本体ハウジングの一端側に設けられた軸部と、前記軸部に回転自在に軸支された回転施術部と、を備える美容装置において、前記軸部は、加熱部と、前記加熱部に接触して設けられて当該加熱部で発生した熱を伝える第１の伝熱部と、を備えており、前記第１の伝熱部は、前記加熱部に接触する基部と、前記基部から延長された延長部と、を備えており、前記延長部は、前記基部に対して屈曲した屈曲部を備えており、前記屈曲部の外周面と当該外周面に対向する前記回転施術部の内壁面とが、摺動可能に接触するように構成されたものである。
【００１８】
これによって、回転施術部と摺動接触するのは、第１の伝熱部の延長部のうち屈曲部の外周面のみとなることから、回転施術部の回転性が妨げられてしまうのを抑制しつつ、上記加熱部で発生した熱を、対向する回転施術部の内壁面の比較的広い範囲に伝達することができ、回転施術部をより効率的に加温することができる。
【００１９】
よって、使用者に対してより迅速に温熱刺激を付与することができるとともに、より心地よい物理刺激を付与することができる。
【００２０】
第２の発明は、特に、第１の発明の前記屈曲部の外周面と、前記外周面に対向する前記回転施術部の内壁面とが、前記回転施術部の回転軸方向に対して傾斜するように形成されており、前記軸部には、前記回転施術部を付勢する第１の付勢部が設けられているものである。
【００２１】
これによって、前記屈曲部の外周面と前記回転施術部の内壁面との摺動のための隙間を小さくすることができ、より一層効率的に回転施術部を加温することができる。
【００２２】
第３の発明は、特に、第２の発明の前記回転施術部には、前記第１の付勢部による前記回転施術部の移動を規制する規制部が設けられているものである。
【００２３】
これによって、前記屈曲部の外周面と前記回転施術部の内壁面との接触圧が大きくなりすぎてしまうのが抑制されるため、回転施術部の回転性が妨げられてしまうのをより確実に抑制しつつ、効率的に加温することができる。
【００２４】
第４の発明は、特に、第１から３のうちいずれか１つの発明の前記軸部には、前記加熱部を前記第１の伝熱部の基部側に付勢する第２の付勢部が設けられているものである。
【００２５】
これによって、加熱部と第１の伝熱部との接触がより確実となって、より安定した熱伝達が行われるようになるため、回転施術部の回転性が妨げられてしまうのを抑制しつつ、回転施術部の広範囲をより迅速に加熱することができるようになる。その結果、血行の促進をより一層促すことができるようになる。
【００２６】
第５の発明は、特に、第１から４のうちいずれか１つの発明の前記回転施術部は、前記延長部の外周面と対向する前記回転施術部の内壁面に、前記内壁面よりも熱伝導率の高い材料で形成された第２の伝熱部を備えており、前記第２の伝熱部の内壁面が前記延長部の外周面と摺動可能に接触するように構成されたものである。
【００２７】
これによって、回転施術部への熱伝達がより効率的に行われるとともに、回転施術部の外周面に熱がより均一に伝達されるようになるため、さらに効率的に加温することができるようになる。
【００２８】
第６の発明は、特に、第５の発明の前記第２の伝熱部の前記回転施術部の内壁面と接触する部分に空間部が形成されているものである。
【００２９】
これによって、第２の伝熱部の体積を減らすことができるとともに、熱容量を下げることができるため、１カ所に熱が対流してしまうのが抑制されて、回転施術部全体への熱伝達をより迅速に行うことができるようになる。
【００３０】
以下、本発明の実施の形態について、図面を参照しながら説明する。なお、この実施の形態によって本発明が限定されるものではない。
【００３１】
また、以下では、美容装置の着脱ボタンが形成されている側を前方、本体把持部の第１のヘッド部や第２のヘッド部が着脱される側を上方として説明する。
【００３２】
（実施の形態１）
図１は、本発明の実施の形態１における美容装置の斜視図、図２は、本発明の実施の形態１における美容装置の本体把持部を示す図であって、（ａ）は平面図、（ｂ）は正面図、図３は、本発明の実施の形態１における美容装置の本体把持部の分解斜視図である。
【００３３】
また、図４は、本発明の実施の形態１における美容装置の第１のヘッド部を示す図であって、（ａ）は正面図、（ｂ）は底面図、図５は、本発明の実施の形態１における美容装置の第１のヘッド部を示す図であって、（ａ）は側面図、（ｂ）は図５（ａ）のＡ−Ａ断面図、図６は、本発明の実施の形態１における美容装置の第１のヘッド部の分解斜視図である。
【００３４】
また、図７は、本発明の実施の形態１における美容装置の第２のヘッド部を示す図であって、（ａ）は正面図、（ｂ）は図７（ａ）のＢ−Ｂ断面図、図８は、本発明の実施の形態１における美容装置の第２のヘッド部の分解斜視図である。
【００３５】
そして、図９は、本発明の実施の形態１における美容装置の充電状態の一例を示す斜視図、図１０は、本発明の実施の形態１における美容装置の充電状態の一例を示す平面図、図１１は、図１０のＣ−Ｃ断面図である。
【００３６】
さらに、図１２は、本発明の実施の形態１における美容装置の充電台を示す斜視図、図１３は、本発明の実施の形態１における美容装置の充電台の分解斜視図である。
【００３７】
本実施の形態１にかかる美容装置１００は、図１に示すように、手で把持する本体把持部１０と、本体把持部１０の上端に着脱可能に支持される第１のヘッド部３０および第２のヘッド部６０を備えている。
【００３８】
第１のヘッド部３０および第２のヘッド部６０は、用途に応じていずれかのヘッド部を選択的に本体把持部１０の上端に取り付けることができるようになっている。
【００３９】
第１のヘッド部３０の一端側（図１の上側）には一対の第１の軸部４０，４０が設けられており、第１の軸部４０，４０には、第１のローラ（回転施術部）５０，５０がそれぞれ回転自在に軸支されている。
【００４０】
一方、第２のヘッド部６０の一端側（図１の上側）には第２の軸部７０が設けられており、第２の軸部７０には、第２のローラ（回転施術部）８０が回転自在に軸支されている。
【００４１】
そして、第１のヘッド部３０を本体把持部１０の上端に取り付けた状態で、第１のローラ（回転施術部）５０，５０を使用者の肌に接触させるとともに転動させることで、使用者の肌に物理刺激を付与することができるようになっている。
【００４２】
具体的には、一対の第１のローラ（回転施術部）５０，５０を使用者の肌に当てて押し引きを繰り返すことで、一対の第１のローラ（回転施術部）５０，５０によって肌が挟まれたり引き延ばされたりして、毛穴の汚れの除去等を行えるようになっている。
【００４３】
なお、第２のヘッド部６０を本体把持部１０の上端に取り付けた状態で、第２のローラ（回転施術部）８０を使用者の肌に接触させるとともに転動させることによっても、使用者の肌に物理刺激を付与することができる。
【００４４】
さらに、本実施の形態１では、第１の軸部４０，４０には、ヒータ（加熱部）４３，４３がそれぞれ設けられており、第２の軸部７０にはヒータ（加熱部）７３が設けられている。そのため、美容装置１００の使用時に、後述するスイッチ部２１を操作してヒータ（加熱部）４３，４３やヒータ（加熱部）７３を駆動させた場合には、使用者の肌に物理刺激とともに温熱刺激を付与することができるようになっている。
【００４５】
本体把持部１０は、図２および図３に示すように、本体把持部１０の外郭をなす把持部側ケーシング１１を備えており、この把持部側ケーシング１１には、ヒータ（加熱部）４３，４３やヒータ（加熱部）７３の駆動（給電）をオン・オフさせるスイッチ部２１が形成されている。
【００４６】
そして、把持部側ケーシング１１の上部には、本体把持部１０に取り付けられた第１のヘッド部３０や第２のヘッド部６０を取り外すための着脱ボタン２７が設けられている。
【００４７】
また、美容装置１００の正面視（美容装置１００を着脱ボタン２７が形成されている側から見た状態）で、把持部側ケーシング１１の両端には、突起１１ａが突設されている。この突起１１ａは、後述する充電台９０に美容装置１００を載置する際に、美容装置１００を充電台９０に回動自在に軸支するためのものである。
【００４８】
把持部側ケーシング１１は、複数の分割体を継ぎ合わせて構成されており、背面側に凸となるように湾曲した形状をしている。複数の分割体は、ネジ２９を用いたり、分割体同士を嵌合させたりすることで継ぎ合わせることができる。そして、把持部側ケーシング１１の内部には空洞が形成されており、この空洞内に、各種電気部品が収容されている。
【００４９】
本実施の形態１では、図２および図３に示すように、前側ケーシング１２と後側ケーシング１３とを継ぎ合わせることで上下に開口した筒状体が形成されるようになっており、この筒状体の上側の開口を端子カバー１４で覆うとともに、下側の開口をパネル１５で覆うことで中空の把持部側ケーシング１１を形成している。そして、把持部側ケーシング１１の空間内に蓄電池１６等を収容している。
【００５０】
蓄電池１６は、電池端子１７，１７に当接するように基台１８に取り付けられており、電池端子１７，１７は充電制御用回路１９に電気的に接続されている。この充電制御用回路１９には、ジャック（電源接続部）２０が取り付けられており、ジャック（電源接続部）２０に充電台９０に設けられたプラグ（電源供給用接続部）９１を嵌め込むことで蓄電池１６が給電されるようになっている。
【００５１】
スイッチ部２１は、充電制御用回路１９に電気的に接続されるスイッチ回路２２と、スイッチ回路２２を保持した状態で把持部側ケーシング１１に保持されるスイッチ基台２３と、スイッチ基台２３を通りスイッチ回路２２に設けたスイッチを開閉するためのスイッチボタン２４とを備えている。スイッチボタン２４は、スイッチカバー２５とパネル１５とによって抜け止めがなされた状態で、外部に露出するように形成されている。
【００５２】
そして、外部に露出したスイッチボタン２４を押圧することで、スイッチ回路２２に設けられたスイッチが開閉されて、ヒータ（加熱部）４３，４３やヒータ（加熱部）７３の駆動（給電）のオン・オフが切り換えられるようになっている。
【００５３】
なお、ヒータ（加熱部）４３，４３やヒータ（加熱部）７３への給電は、複数の給電端子２６によって行われている。給電端子２６は、基台１８にはめ込まれ、充電制御用回路１９に接続されるとともに、基台１８に複数のネジ２９で固定される端子カバー１４に抜け止めされた状態で取り付けられている。
【００５４】
着脱ボタン２７は、着脱バネ２８によって前側ケーシング１２側に付勢された状態で、外部に露出するように形成されている。本実施の形態１では、着脱ボタン２７は、前側ケーシング１２よりも前方に突出するように形成されている。
【００５５】
この着脱ボタン２７には、第１のヘッド部３０に形成されたフック部（係合部）３５ｂや第２のヘッド部６０に形成されたフック部（係合部）６５ｂと係合するフック部（係合部）２７ａが設けられている。そして、着脱ボタン２７を押圧することで、両者の係合が解除されて、第１のヘッド部３０や第２のヘッド部６０を本体把持部１０から取り外すことができるようになっている。
【００５６】
なお、本実施の形態１では、端子カバー１４には、挿通孔１４ａが形成されており、第１のヘッド部３０に形成された突部（嵌合部）３５ａや第２のヘッド部６０に形成された突部（嵌合部）６５ａを挿通孔１４ａに嵌合させた状態で、フック部同士を係合させることで、第１のヘッド部３０や第２のヘッド部６０を本体把持部１０に装着させるようにしている。
【００５７】
第１のヘッド部３０は、第１のヘッド部側ケーシング３１を備えており、第１のヘッド部側ケーシング３１の一端側（図１の上側）に、一対の第１の軸部４０，４０がそれぞれ設けられている。そして、第１の軸部４０，４０には、第１のローラ（回転施術部）５０，５０がそれぞれ回転自在に軸支されている。
【００５８】
第１のヘッド部側ケーシング３１は、複数の分割体を継ぎ合わせて構成されており、これら複数の分割体は、ネジ３９を用いたり、分割体同士を嵌合させたりすることで継ぎ合わせることができる。
【００５９】
本実施の形態１では、図６に示すように、前側ケーシング３２と後側ケーシング３３とを継ぎ合わせることで上下に開口した筒状体が形成されるようになっており、この筒状体の上側の開口を上側ケーシング３４で覆うとともに、下側の開口をケースカバー３５で覆うことで第１のヘッド部側ケーシング３１を形成している。
【００６０】
また、第１のヘッド部３０の本体把持部１０側には、抜け止め板３６とケースカバー３５との間で固定される端子３７が設けられており、端子３７と給電端子２６が結合されることによって、ヒータ（加熱部）４３，４３への給電ができるようになっている。なお、端子３７とヒータ（加熱部）４３，４３とは、リード線３８によって電気的に接続されている（図５（ｂ）参照）。
【００６１】
そして、ケースカバー３５には、端子カバー１４の挿通孔１４ａに嵌合する突部（嵌合部）３５ａが設けられるとともに、着脱ボタン２７のフック部（係合部）２７ａと係合するフック部（係合部）３５ｂが設けられている。
【００６２】
一対の第１の軸部４０，４０は、上側ケーシング３４に形成された穴３４ａ，３４ａを通る根元部側回転軸４１，４１と、根元部側回転軸４１，４１にそれぞれ連結される先端側回転軸４２，４２と、を備えている。
【００６３】
根元部側回転軸４１，４１は、穴３４ａ，３４ａを通る筒状部４１ａ，４１ａと、穴３４ａ，３４ａの周縁部に当接して抜け止めがなされるフランジ部４１ｂ，４１ｂと、を備えており、上側ケーシング３４とローラ止め４４とでフランジ部４１ｂ，４１ｂを挟持することで、根元部側回転軸４１，４１が上側ケーシング３４に取り付けられている。
【００６４】
ローラ止め４４は、略山型をしており、頂部が本体把持部１０の延在方向上方を向いた状態で上側ケーシング３４にネジ３９により取り付けられている。そして、頂部両側の斜面部分をフランジ部４１ｂ，４１ｂに当接させている。
【００６５】
したがって、根元部側回転軸４１，４１の軸方向（第１の軸部４０，４０の軸方向）は、それぞれ、本体把持部１０の延在方向に対して傾斜するとともに、両根元部側回転軸４１，４１は、それぞれの軸方向が所定の角度（０°より大きく１８０°より小さい角度）を有するように上側ケーシング３４に配置されることとなる。
【００６６】
そして、根元部側回転軸４１，４１にそれぞれ連結される先端側回転軸４２，４２には、バネ（第１の付勢部）４５，４５を内装したバネ受け４６，４６が、フック４６ａ，４６ａによって第１の軸部４０，４０の軸方向に移動自在に取り付けられている。
【００６７】
また、先端側回転軸４２，４２の先端には、ヒータ（加熱部）４３，４３が取り付けられており、このヒータ（加熱部）４３，４３を覆うように金属で形成された伝熱板（第１の伝熱部）４７，４７が設けられている。
【００６８】
そして、この伝熱板（第１の伝熱部）４７，４７の第１の軸部４０，４０の軸方向先端側には押え板４８，４８が設けられており、伝熱板（第１の伝熱部）４７，４７は、押え板４８，４８を通るネジ４９，４９によって、先端側回転軸４２，４２にネジ締め固定されている。
【００６９】
伝熱板（第１の伝熱部）４７，４７は、天壁部４７ａ，４７ａと周壁部４７ｂ，４７ｂとで、根元部側が開口する中空の容器状に形成されている。
【００７０】
また、ヒータ（加熱部）４３，４３は、天壁部４７ａ，４７ａの根元部側の面に接触する本体部４３ａ，４３ａと、リード線３８，３８が接続されるリード部４３ｂ，４３ｂと、を備えている。そして、ヒータ（加熱部）４３，４３の本体部４３ａ，４３ａは、先端側回転軸４２，４２内に設けられたバネ（第２の付勢部）４２ａ，４２ａによって、伝熱板（第１の伝熱部）４７，４７の天壁部４７ａ，４７ａ側に向けて付勢されている。
【００７１】
なお、ヒータ（加熱部）４３，４３は、セラミックヒータでもよいし、線ヒータでもよい。
【００７２】
第１のローラ（回転施術部）５０，５０は、樹脂製のローラケース５１，５１を備えており、ローラケース５１，５１は、根元側ローラケース５２，５２および根元側ローラケース５２，５２に連結される樹脂製の先端側ローラケース５３，５３と、を備えている。
【００７３】
根元側ローラケース５２，５２は、第１の軸部４０，４０にそれぞれ挿通させることで上側ケーシング３４に取り付けられており、かかる状態で、第１の軸部４０，４０を覆うようにして、先端側ローラケース５３，５３を根元側ローラケース５２，５２に連結することで、ローラケース５１，５１、すなわち、第１のローラ（回転施術部）５０，５０が、第１の軸部４０，４０に回転自在に取り付けられている。
【００７４】
また、先端側ローラケース５３，５３内の先端側頂部近傍には、根元側に向けて突出するローラ軸（規制部）５３ａ，５３ａが設けられており、このローラ軸（規制部）５３ａ，５３ａを押え板４８，４８に当接させることで、ローラケース５１，５１の軸方向根元側への移動を規制している。
【００７５】
さらに、先端側ローラケース５３，５３内には、円筒形状の放熱板（第２の伝熱部）５４，５４が圧入固定されている。したがって、ローラケース５１，５１を肌に当てたときには、放熱板（第２の伝熱部）５４，５４も、ローラケース５１，５１に追従して一体に転動することとなる。
【００７６】
この放熱板（第２の伝熱部）５４，５４は、ローラケース５１，５１よりも熱伝導の高い材質で形成するのが望ましい。例えば、ローラケース５１，５１を樹脂で形成した場合、アルミニウム等の熱伝導率の高い材質を用いて放熱板（第２の伝熱部）５４，５４を形成するのが望ましい。こうすれば、ヒータ（加熱部）４３，４３からローラケース５１，５１への熱伝達をより迅速に行うことができる。
【００７７】
また、放熱板（第２の伝熱部）５４，５４の外周（ローラケース５１，５１の内壁面５１ａ，５１ａ側）５４ｃ，５４ｃには、径方向に突出するリブ５４ａ，５４ａが設けられており、リブ５４ａ，５４ａの先端がローラケース５１，５１の内壁面５１ａ，５１ａに圧接されている。
【００７８】
すなわち、放熱板（第２の伝熱部）５４，５４のローラケース５１，５１の内壁面（回転施術部の内壁面）５１ａ，５１ａと接触する部分に、空間部５４ｂ，５４ｂが形成されるようにしている。こうすることで、放熱板（第２の伝熱部）５４，５４の体積を減らすことができるとともに、熱容量を下げることができるため、ヒータ（加熱部）４３，４３からローラケース５１，５１への熱伝達をより迅速に行うことができる。
【００７９】
かかる構成の第１のヘッド部３０を本体把持部１０に装着した場合、美容装置１００は、外郭を構成する本体ハウジング１１０と、本体ハウジング１１０の上側（一端側）に設けられた第１の軸部（軸部）４０，４０と、第１の軸部（軸部）４０，４０に回転自在に軸支された第１のローラ（回転施術部）５０，５０と、を備えることとなる。
【００８０】
すなわち、本体ハウジング１１０は、把持部側ケーシング１１と第１のヘッド部側ケーシング３１とで構成されることとなる。
【００８１】
一方、第２のヘッド部６０は、第２のヘッド部側ケーシング６１を備えており、第２のヘッド部側ケーシング６１の一端側（図１の上側）に、第２の軸部７０がそれぞれ設けられている。そして、第２の軸部７０には、第２のローラ（回転施術部）８０がそれぞれ回転自在に軸支されている。
【００８２】
第２のヘッド部側ケーシング６１は、複数の分割体を継ぎ合わせて構成されており、これら複数の分割体は、ネジ６９を用いたり、分割体同士を嵌合させたりすることで継ぎ合わせることができる。
【００８３】
本実施の形態１では、図８に示すように、前側ケーシング６２と後側ケーシング６３とを継ぎ合わせることで上下に開口した筒状体が形成されるようになっており、この筒状体の上側の開口を第２の軸部７０で覆うとともに、下側の開口をケースカバー６５で覆うことで第２のヘッド部側ケーシング６１を形成している。
【００８４】
また、第２のヘッド部６０の本体把持部１０側には、抜け止め板６６とケースカバー６５との間で固定される端子６７が設けられており、端子６７と給電端子２６が結合されることによって、ヒータ（加熱部）７３への給電ができるようになっている。なお、端子６７とヒータ（加熱部）７３とは、図示せぬリード線によって電気的に接続されている。
【００８５】
そして、ケースカバー６５には、端子カバー１４の挿通孔１４ａに嵌合する突部（嵌合部）６５ａが設けられるとともに、着脱ボタン２７のフック部（係合部）２７ａと係合するフック部（係合部）６５ｂが設けられている。
【００８６】
第２の軸部７０は、前側ケーシング６２と後側ケーシング６３とを継ぎ合わせることで形成される筒状体の上側の開口を覆う一対のフレーム７１，７２を備えている。
【００８７】
そして、一対のフレーム７１，７２に円筒状の伝熱板７４が挟持されている。
【００８８】
また、伝熱板（第１の伝熱部）７４の内側には、ヒータ（加熱部）７３が取り付けられており、このヒータ（加熱部）７３は、金属で形成された板バネ７５，７５に挟み込まれるようにして保持されている。
【００８９】
また、ヒータ（加熱部）７３は、板バネ７５，７５を介して、伝熱板７４の内側の面に接触する本体部７３ａと、リード線が接続されるリード部７３ｂと、を備えている。なお、ヒータ（加熱部）７３は、セラミックヒータでもよいし、線ヒータでもよい。
【００９０】
第２のローラ（回転施術部）８０は、樹脂製のローラケース８１を備えており、このローラケース８１は、筒状、かつ、周方向に波状となるように形成されている。
【００９１】
さらに、ローラケース８１内には、ローラケース８１と対応した形状の放熱板（第２の伝熱部）８２が圧入固定されている。したがって、ローラケース８１を肌に当てたときには、放熱板（第２の伝熱部）８２も、ローラケース８１に追従して一体に転動することとなる。
【００９２】
この放熱板（第２の伝熱部）８２も、ローラケース８１よりも熱伝導の高い材質で形成するのが望ましい。例えば、ローラケース８１を樹脂で形成した場合、アルミニウム等の熱伝導率の高い材質を用いて放熱板（第２の伝熱部）８２を形成するのが望ましい。こうすれば、ヒータ（加熱部）７３からローラケース８１への熱伝達をより迅速に行うことができる。
【００９３】
また、ローラケース８１の軸方向一端側には、放熱板（第２の伝熱部）８２のローラケース８１からの抜けを抑制する抜け止め部材８３が圧入保持されている。
【００９４】
かかる構成の第２のヘッド部６０を本体把持部１０に装着した場合、美容装置１００は、外郭を構成する本体ハウジング１１０と、本体ハウジング１１０の上側（一端側）に設けられた第２の軸部（軸部）７０と、第２の軸部（軸部）７０に回転自在に軸支された第２のローラ（回転施術部）８０と、を備えることとなる。
【００９５】
すなわち、本体ハウジング１１０は、把持部側ケーシング１１と第２のヘッド部側ケーシング６１とで構成されることとなる。
【００９６】
上述したように、美容装置１００は、把持部側ケーシング１１に形成されたジャック（電源接続部）２０に、充電台９０に設けられるプラグ（電源供給用接続部）９１を嵌め込むことで蓄電池１６が給電されるようになっている。
【００９７】
充電台９０は、図１２および図１３に示すように、充電台カバー９２と底蓋９３とプラグキャップ９４とで構成されており、充電台カバー９２と底蓋９３とがネジ９５で固定されている。
【００９８】
プラグ（電源供給用接続部）９１は、家庭用電源などの外部電源からの電源を蓄電池１６に供給するものであり、ジャック２０に接続される端子部９１ａと、端子部９１ａが突出する絶縁性の本体部９１ｂと、を有している。
【００９９】
充電台カバー９２は、表面に美容装置１００を載置するものであり、充電台カバー９２の上部の幅方向両端には、把持部側ケーシング１１の両端に突設された突起１１ａ，１１ａが挿入されて軸支される凹部９２ａ，９２ａが設けられている。
【０１００】
そして、充電台カバー９２には、底蓋９３の突起部９３ａを挿入する挿入穴９２ｂが形成されている。
【０１０１】
底蓋９３の突起部９３ａは、中央部に端子部９１ａを挿入する挿入孔９３ｂが形成されており、底蓋９３の裏側から端子部９１ａを挿入孔９３ｂに挿入した状態で、本体部９１ｂを挿入孔９３ｂの周縁部９３ｃに当接させるようになっている。
【０１０２】
また、プラグキャップ９４は底蓋９３に着脱自在に取り付けられており、本体部９１ｂの背面９１ｃを載置する載置面９４ａが形成されている。そして、プラグ９１を充電台９０に装着した際には、本体部９１ｂが周縁部９３ｃと載置面９４ａとで挟持された状態で、端子部９１ａが充電台９０から突出するように固定される。
【０１０３】
こうして、プラグ９１の充電台９０からの位置ずれが抑制されるようにしている。なお、このプラグ９１は、充電台９０から取り外すことも可能である。
【０１０４】
充電台９０を用いた蓄電池１６への充電は、以下のようにして行われる。
【０１０５】
まず、把持部側ケーシング１１の両端に突設された突起１１ａ，１１ａを凹部９２ａ，９２ａに挿入して軸支する。そして、美容装置１００を凹部９２ａ，９２ａを支点として回動させることで、プラグ９１の端子部９１ａがジャック２０に嵌合されるようにする。こうして、蓄電池１６への充電が行われる。なお、図９等に示す符号１１ｂは、充電状況を示すランプである。
【０１０６】
このように、プラグ９１の端子部９１ａを直接ジャック２０に嵌合させて充電を行うようにすることで、例えば、携帯電話の充電器のように、電源供給用接続部を充電台に設けられた電源接続部に接続し、充電台に設けられた電源接続部に美容装置１００のジャック（電源接続部）２０を接続することで充電を行う場合に比べて、充電時の接続の信頼性をより高めることができ、より確実に充電を行うことができるようになる。
【０１０７】
なお、美容装置１００の充電が完了している場合等には、プラグ９１を充電台９０から外し、充電台９０を美容装置１００の置き台として用いることも可能である。また、充電台９０から取り外したプラグ９１を直接ジャック２０に嵌め込むことで、美容装置１００を充電台９０に取付けることなく、充電することも可能である。
【０１０８】
なお、本実施の形態１では、電源供給用接続部としてプラグを、電源接続部としてジャックを例示したが、コネクタ、コンセントプラグ、ＵＳＢコネクタ等による接続も可能である。
【０１０９】
ここで、本実施の形態１では、第１のヘッド部３０の伝熱板（第１の伝熱部）４７，４７が、ヒータ（加熱部）４３，４３に接触する基部４７ｄ，４７ｄと、基部４７ｄ，４７ｄから延長された延長部４７ｅ，４７ｅと、を備え、延長部４７ｅ，４７ｅは、基部４７ｄ，４７ｄに対して屈曲した屈曲部４７ｆ，４７ｆを備えるようにした。
【０１１０】
また、延長部４７ｅ，４７ｅの先端側と対向する第１のローラ（回転施術部）５０，５０の内壁面（ローラケース５１，５１の内壁面５１ａ，５１ａ）には、内壁面よりも熱伝導率の高い材料で形成された放熱板（第２の伝熱部）５４，５４を備えるようにした。
【０１１１】
そして、放熱板（第２の伝熱部）５４，５４の内壁面５４ｄ，５４ｄが屈曲部４７ｆ，４７ｆの外周面４７ｇ，４７ｇと摺動可能に接触するように構成した。
【０１１２】
このとき、放熱板（第２の伝熱部）５４，５４のローラケース５１，５１の内壁面（回転施術部の内壁面）５１ａ，５１ａと接触する部分に、空間部５４ｂ，５４ｂが形成されるようにしている。
【０１１３】
なお、放熱板（第２の伝熱部）５４，５４を設けない場合、屈曲部４７ｆ，４７ｆの外周面４７ｇ，４７ｇと当該外周面４７ｇ，４７ｇに対向する第１のローラ（回転施術部）５０，５０の内壁面（ローラケース５１，５１の内壁面５１ａ，５１ａ）とが、摺動可能に接触するように構成すればよい。
【０１１４】
本実施の形態１における第１のヘッド部３０では、基部４７ｄ，４７ｄは、天壁部４７ａ，４７ａのヒータ（加熱部）４３，４３に接触する部分であり、延長部４７ｅ，４７ｅは、天壁部４７ａ，４７ａの基部４７ｄ，４７ｄ以外の部位および周壁部４７ｂ，４７ｂである。また、屈曲部４７ｆ，４７ｆは、周壁部４７ｂ，４７ｂである。
【０１１５】
また、屈曲部４７ｆ，４７ｆの径方向の外周面４７ｇ，４７ｇと対向する放熱板（第２の伝熱部）５４，５４の内壁面５４ｄ，５４ｄとが、第１の軸部４０，４０に対して傾斜するように形成されている。具体的には、第１の軸部４０，４０の根元側に向かうにつれて中心軸から離れる方向となるように傾斜している。
【０１１６】
そして、ローラケース５１，５１を本体ハウジング１１０側に付勢するバネ（第１の付勢部）４５，４５を設けている。すなわち、ローラケース５１，５１が、内壁面５４ｄ，５４ｄが外周面４７ｇ，４７ｇに接触する方向に付勢されるように、バネ（第１の付勢部）４５，４５を設けている。
【０１１７】
したがって、内壁面５４ｄ，５４ｄと外周面４７ｇ，４７ｇとが本実施の形態１とは逆方向に傾斜している場合には、ローラケース５１，５１が第１の軸部４０，４０の先端側に付勢されるようにバネ（第１の付勢部）４５，４５を設ければよい。
【０１１８】
また、ローラケース５１，５１の先端側の内壁には、バネ（第１の付勢部）４５，４５によるローラケース５１，５１の本体ハウジング１１０側への移動を規制するローラ軸（規制部）５３ａ，５３ａを設けている。
【０１１９】
このローラ軸（規制部）５３ａ，５３ａも、内壁面５４ｄ，５４ｄと外周面４７ｇ，４７ｇとが本実施の形態１とは逆方向に傾斜している場合には、ローラケース５１，５１が第１の軸部４０，４０の先端側に移動してしまうのを規制するように設ければよい。
【０１２０】
また、ヒータ（加熱部）４３，４３の本体部４３ａ，４３ａは、先端側回転軸４２，４２内に設けられたバネ（第２の付勢部）４２ａ，４２ａによって、伝熱板（第１の伝熱部）４７，４７の天壁部４７ａ，４７ａ側に向けて付勢されている。
【０１２１】
一方、第２のヘッド部６０においては、第１の伝熱部としての伝熱板７４および板バネ７５，７５が、ヒータ（加熱部）７３に接触する基部７４ｄ，７４ｄと、基部７４ｄ，７４ｄから延長された延長部７４ｅ，７４ｅと、を備え、延長部７４ｅ，７４ｅは、基部７４ｄ，７４ｄに対して屈曲した屈曲部７４ｆ，７４ｆを備えるようにした。
【０１２２】
また、延長部７４ｅ，７４ｅの先端側と対向する第２のローラ（回転施術部）８０の内壁面（ローラケース８１の内壁面８１ａ）には、内壁面よりも熱伝導率の高い材料で形成された放熱板（第２の伝熱部）８２を備えるようにした。
【０１２３】
そして、放熱板（第２の伝熱部）８２の内壁面８２ａが屈曲部７４ｆ，７４ｆの外周面７４ｇ，７４ｇと摺動可能に接触するように構成した。
【０１２４】
なお、放熱板（第２の伝熱部）８２を設けない場合、屈曲部７４ｆ，７４ｆの外周面７４ｇ，７４ｇと当該外周面７４ｇ，７４ｇに対向する第２のローラ（回転施術部）８０の内壁面（ローラケース８１の内壁面８１ａ）とが、摺動可能に接触するように構成すればよい。
【０１２５】
本実施の形態１における第２のヘッド部６０では、基部７４ｄ，７４ｄは、板バネ７５，７５のヒータ（加熱部）７３に接触する基部７５ａ，７５ａであり、延長部７４ｅ，７４ｅは、板バネ７５，７５の自由片７５ｂ，７５ｂおよび伝熱板７４である。
【０１２６】
また、屈曲部７４ｆ，７４ｆも、板バネ７５，７５の自由片７５ｂ，７５ｂおよび伝熱板７４である。このように、第２のヘッド部６０では、延長部全体を屈曲させた屈曲部を有するもの（延長部が屈曲部を兼ねるもの）である。
【０１２７】
以上のように構成された美容装置について、以下その動作、作用を第１のヘッド部３０を装着した美容装置１００に基づいて説明する。なお、第２のヘッド部６０を装着した美容装置１００にあっても、基本的な動作、作用はほぼ同様のものとなる。
【０１２８】
まず、蓄電池１６に充電された状態でスイッチ部２１を押すと、給電端子２６、端子３７およびリード線３８を介してヒータ（加熱部）４３，４３に給電され、ヒータ（加熱部）４３，４３が加熱され始める。そして、加熱されたヒータ（加熱部）４３，４３の熱は、バネ（第２の付勢部）４２ａ，４２ａによって押圧されている伝熱板（第１の伝熱部）４７，４７に伝達される。
【０１２９】
このとき、伝熱板（第１の伝熱部）４７，４７は径方向に延長されており、ローラケース５１，５１の内壁に沿うように屈曲し、放熱板（第２の伝熱部）５４，５４の内壁面５４ｄ，５４ｄに接触している。そのため、ヒータ（加熱部）４３，４３の熱は、屈曲部４７ｆ，４７ｆを介して放熱板（第２の伝熱部）５４，５４までより迅速に伝達される。
【０１３０】
ここで、伝熱板（第１の伝熱部）４７，４７は、ヒータ（加熱部）４３，４３とともに、第１の軸部４０，４０に固定されているため、ローラケース５１，５１に圧入固定された放熱板（第２の伝熱部）５４，５４は、伝熱板（第１の伝熱部）４７，４７の屈曲部４７ｆ，４７ｆと摺動しながら、屈曲部４７ｆ，４７ｆから熱が伝達される。
【０１３１】
そして、放熱板（第２の伝熱部）５４，５４に伝達された熱は、放熱板（第２の伝熱部）５４，５４からローラケース５１，５１に伝達される。
【０１３２】
こうして、美容装置１００を用いることで、使用者の肌に物理刺激と温熱刺激とを付与することができるようになる。
【０１３３】
以上説明したように、本実施の形態１においては、美容装置１００は、外郭を構成する本体ハウジング１１０と、本体ハウジング１１０の一端側に設けられた軸部（第１の軸部４０や第２の軸部７０）と、軸部に回転自在に軸支された回転施術部（第１のローラ５０や第２のローラ８０）と、を備えている。
【０１３４】
また、軸部は、加熱部（ヒータ４３やヒータ７３）と、加熱部に接触して設けられて当該加熱部で発生した熱を伝える第１の伝熱部（伝熱板４７や伝熱板７４および板バネ７５）と、を備えている。
【０１３５】
この第１の伝熱部は、加熱部に接触する基部（基部４７ｄや基部７４ｄ）と、基部から延長された延長部（延長部４７ｅや延長部７４ｅ）と、を備えており、延長部は、基部に対して屈曲した屈曲部（屈曲部４７ｆや屈曲部７４ｆ）を備えている。
【０１３６】
さらに、本実施の形態１では、回転施術部が、延長部（延長部４７ｅや延長部７４ｅ）の外周面と対向する回転施術部の内壁面（内壁面５１ａや内壁面８１ａ）に、内壁面よりも熱伝導率の高い材料で形成された第２の伝熱部（放熱板５４や放熱板８２）を備えている。
【０１３７】
そして、屈曲部（屈曲部４７ｆや屈曲部７４ｆ）の外周面（外周面４７ｇや外周面７４ｇ）と当該外周面に対向する第２の伝熱部の内壁面（内壁面５４ｄや内壁面８２ａ）とが、摺動可能に接触する構成とした。
【０１３８】
これによって、回転施術部と摺動接触するのは、第１の伝熱部の延長部のうち屈曲部の外周面のみとなることから、回転施術部の回転性が妨げられてしまうのを抑制しつつ、加熱部で発生した熱を、対向する回転施術部の内壁面の比較的広い範囲に伝達することができ、回転施術部をより効率的に加温することができる。
【０１３９】
よって、使用者に対してより迅速に温熱刺激を付与することができるとともに、より心地よい物理刺激を付与することができる。
【０１４０】
さらに、回転施術部が、比較的熱伝導率の高い材料で形成された第２の伝熱部（放熱板５４や放熱板８２）を備えているため、回転施術部への熱伝達がより効率的に行われるとともに、回転施術部の外周面に熱がより均一に伝達されるようになって、さらに効率的に加温することができるようになる。
【０１４１】
また、本実施の形態１では、第２の伝熱部（放熱板５４）の回転施術部（第１のローラ５０）の内壁面（ローラケース５１の内壁面５１ａ）と接触する部分に空間部５４ｂが形成されている。
【０１４２】
これによって、第２の伝熱部の体積を減らすことができるとともに、熱容量を下げることができるため、１カ所に熱が対流してしまうのが抑制されて、回転施術部全体への熱伝達をより迅速に行うことができるようになる。
【０１４３】
また、本実施の形態１では、屈曲部４７ｆの外周面４７ｇと、外周面４７ｇに対向する回転施術部（第１のローラ５０）の内壁面（放熱板５４の内壁面５４ｄ）とが、回転施術部の回転軸方向に対して傾斜するように形成されており、軸部（第１の軸部４０）には、回転施術部（第１のローラ５０）を付勢する第１の付勢部（バネ４５）が設けられている。
【０１４４】
これによって、屈曲部の外周面と回転施術部の内壁面との摺動のための隙間を小さくすることができ、より一層効率的に回転施術部を加温することができる。
【０１４５】
また、本実施の形態１では、回転施術部（第１のローラ５０）に、第１の付勢部（バネ４５）による回転施術部（第１のローラ５０）の移動を規制する規制部（ローラ軸５３ａ）を設けている。
【０１４６】
これによって、屈曲部の外周面と回転施術部の内壁面との接触圧が大きくなりすぎてしまうのが抑制されるため、回転施術部の回転性が妨げられてしまうのをより確実に抑制しつつ、効率的に加温することができる。
【０１４７】
また、本実施の形態１では、軸部（第１の軸部４０）に、加熱部（ヒータ４３）を第１の伝熱部の基部（基部４７ｄ）側に付勢する第２の付勢部（バネ４２ａ）を設けている。
【０１４８】
これによって、加熱部と第１の伝熱部との接触がより確実となって、より安定した熱伝達が行われるようになるため、回転施術部の回転性が妨げられてしまうのを抑制しつつ、回転施術部の広範囲をより迅速に加熱することができるようになる。その結果、血行の促進をより一層促すことができるようになる。
【０１４９】
以上、本発明の好適な実施形態について説明したが、本発明は上記実施の形態には限定されず、種々の変形が可能である。
【０１５０】
例えば、上記実施の形態では、用途に応じて複数種類（２種類）のヘッド部のうちから１つのヘッド部を選択的に本体把持部に取り付けられるようにした美容装置を例示したが、着脱させない美容装置（ヘッド部が本体把持部に一体に設けられている美容装置）とすることも可能である。
【０１５１】
また、本体把持部やヘッド部、その他細部のスペック（形状、大きさ、レイアウト等）も適宜に変更可能である。
【産業上の利用可能性】
【０１５２】
以上のように、本発明にかかる美容装置は、回転性を妨げずにローラ内部に配置されたヒータからのより迅速な熱伝達が可能となるので、例えば椅子式のマッサージ装置等の用途にも適用できる。
【符号の説明】
【０１５３】
４０  第１の軸部（軸部）
４２ａ  バネ（第２の付勢部）
４３  ヒータ（加熱部）
４５  バネ（第１の付勢部）
４７  伝熱板（第１の伝熱部）
４７ｄ  基部
４７ｅ  延長部
４７ｆ  屈曲部
４７ｇ  外周面
５０  第１のローラ（回転施術部）
５１ａ  内壁面
５３ａ  ローラ軸（規制部）
５４  放熱板（第２の伝熱部）
５４ｂ  空間部
５４ｄ  内壁面
７０  第２の軸部（軸部）
７３  ヒータ（加熱部）
７４  伝熱板（第１の伝熱部）
７４ｄ  基部
７４ｅ  延長部
７４ｆ  屈曲部
７４ｇ  外周面
７５  板バネ（第１の伝熱部）
８０  第２のローラ（回転施術部）
８２  放熱板（第２の伝熱部）
８２ａ  内壁面
１００  美容装置
１１０  本体ハウジング
【図１】
2014236839.tif 000003
【図２】
2014236839.tif 000004
【図３】
2014236839.tif 000005
【図４】
2014236839.tif 000006
【図５】
2014236839.tif 000007
【図６】
2014236839.tif 000008
【図７】
2014236839.tif 000009
【図８】
2014236839.tif 000010
【図９】
2014236839.tif 000011
【図１０】
2014236839.tif 000012
【図１１】
2014236839.tif 000013
【図１２】
2014236839.tif 000014
【図１３】
2014236839.tif 000015